(57)【特許請求の範囲】
【請求項１】
スライダーと、移動部材と、ラックを障子に備え、スライダーは高速時作動ダンパーを有すると共に障子の開方向に付勢してあり、移動部材は、カム孔部と低速時作動ダンパーを有すると共にスライダーに対して障子の開方向に付勢してあり、且つ障子の開閉方向に移動自在にスライダーに保持してあり、カム孔部に高速時作動ダンパーを遊嵌してあり、ラックは、障子に固定してあり且つ低速時作動ダンパーが常時係合しており、障子を高速で閉じたときにのみ、移動部材の障子の閉方向への移動量がスライダーの障子の閉方向の移動量よりも相対的に大きくなって高速時作動ダンパーがカム孔部の開方向側部に当接してラックに押し付けられてラックに係合し、障子の速度が低速になったときに高速時作動ダンパーがカム孔部の閉方向側部に当接してラックから離間する方向に押し付けられてラックとの係合が外れることを特徴とする建具。
【発明の詳細な説明】
【技術分野】
【０００１】
本発明は、建具に関する。
【背景技術】
【０００２】
非特許文献１には、障子の上部に引き寄せバネを設けて、障子を開くときに蓄えた引き寄せバネの付勢力で閉まるようにして、障子が閉まる手前でダンパーが作動して自動的にブレーキがかかる建具が開示されている。
【先行技術文献】
【非特許文献】
【０００３】
【非特許文献１】第１０１頁「三協アルミ  住宅建材  インテリア  総合カタログ  ウッデリアＶＳ／収納  室内ドア・室内引戸・クローゼット・可動間仕切  ２０１３→２０１４」カタログＮｏ．ＳＴＪ０８２６Ｂ  三協立山株式会社  三協アルミ社  ２０１３年７月発行
【発明の概要】
【発明が解決しようとする課題】
【０００４】
しかし、従来技術の建具では、障子を所定速度よりも速く閉めると、ダンパーが十分に作動しない場合があり、ダンパーの抵抗を強くするなど、より適切なダンパーが求められていた。
【０００５】
そこで、本発明は、障子を所定速度よりも速く閉めた場合でもダンパーを適切に作用することができる建具の提供を目的とする。
【課題を解決するための手段】
【０００６】
請求項１に記載の発明は、スライダーと、移動部材と、ラックを障子に備え、スライダーは高速時作動ダンパーを有すると共に障子の開方向に付勢してあり、移動部材は、カム孔部と低速時作動ダンパーを有すると共にスライダーに対して障子の開方向に付勢してあり、且つ障子の開閉方向に移動自在にスライダーに保持してあり、カム孔部に高速時作動ダンパーを遊嵌してあり、ラックは、障子に固定してあり且つ低速時作動ダンパーが常時係合しており、障子を高速で閉じたときにのみ、移動部材の障子の閉方向への移動量がスライダーの障子の閉方向の移動量よりも相対的に大きくなって高速時作動ダンパーがカム孔部の開方向側部に当接してラックに押し付けられてラックに係合し、障子の速度が低速になったときに高速時作動ダンパーがカム孔部の閉方向側部に当接してラックから離間する方向に押し付けられてラックとの係合が外れることを特徴とする建具である。
【発明の効果】
【０００７】
請求項１に記載の発明によれば、障子を所定速度よりも速く閉じたときには、低速時作動ダンパーと高速時作動ダンパーとの両方がラックに係合することで作動し、所定速度以下で閉じた場合には低速時作動ダンパーのみがラックに係合することで作動するので、障子を閉める速度に応じてダンパーを適切に作動させることができる。
【図面の簡単な説明】
【０００８】
【図１】本発明の第１実施の形態にかかる建具であって、図２に示す速度反応ダンパーの動きを示す正面図であり、（ａ）は低速ＰＬで障子を閉めたときであり、（ｂ）は高速ＰＨで障子を閉めたときである。
【図２】本発明の第１実施の形態にかかる建具であって、速度反応ダンパーを有するソフトクローズユニットの構成を示す正面図である。
【図３】図２に示す速度反応ダンパーの構成部品を抜き出して示す正面図であり、（ａ）はスライダーに高速時作動ダンパーを取り付けた状態を示す図であり、（ｂ）は低速時作動ダンパーを有する移動部材の図である。
【図４】図２に示すＡ−Ａ断面図である。
【図５】図４に示すＢ−Ｂ断面図である。
【図６】本発明の第１実施の形態にかかる建具であって、障子の開き操作時における障子が各位置にあるときのソフトクローズユニットの動きを説明する正面図であり、（ａ）は障子が閉め切り位置にあるとき、（ｂ）は障子を開き始めて付勢力蓄積機構が付勢力の蓄積を開始している状態、（ｃ）は付勢力蓄積機構が付勢力の蓄積を終了した状態、（ｄ）は付勢力蓄積機構が付勢力を蓄積したまま更に障子を開いている状態である。
【図７】本発明の第１実施の形態にかかる建具であって、障子の閉じ操作時における障子が各位置にあるときのソフトクローズユニットの動きを説明する正面図であり、（ｅ）は付勢力蓄積機構が付勢力を蓄積したまま障子を閉じ始めている状態、（ｆ）は障子の締め切り前で、勢力開放機構が作動する直前の状態、（ｇ）は障子の締め切り動作時であって、付勢力開放機構が作動して付勢力蓄積機構が蓄積した付勢力を開放している状態、（ｈ）は障子を締め切って閉じた状態である。
【図８】本発明の第２実施の形態にかかる建具であって、速度反応ダンパーの動きを示す正面図であり、（ａ）は低速ＰＬで障子を閉めたときであり、（ｂ）は高速ＰＨで障子を閉めたときである。
【発明を実施するための形態】
【０００９】
以下に、本発明の実施の形態を説明するが、まず、添付図面の図１〜図７を参照して本発明の第１実施の形態を説明する。  
図２に示すように、本発明の第１実施の形態にかかる建具１は、枠３と、障子５と、ソフトクローズユニット７とを備えている。本実施の形態にかかる建具１は、テラスサッシである。  
図２、図４及び図５に示すように、枠３は上枠９と、下枠（図示せず）と、戸先枠１１と、戸尻枠（図示せず）を枠組みしてあり、障子５には、上框１３の室内側面にソフトクローズユニット７が取り付けてある。障子５は枠３に対して走行自在に設けてある。  
図２及び図５に示すように、上枠９には、ソフトクローズユニット７の移動軌跡に対応した位置で、障子５の走行方向に間隔をあけて開トリガー１５と閉トリガー１７とが設けてある。  
【００１０】
図２に示すように、ソフトクローズユニット７は、ケース１９と、ケース１９内に収納した付勢力蓄積機構２１と、付勢力開放機構２３と、付勢力蓄積時障子開力軽減機構２４と、速度反応ダンパー２６を備えている。  
付勢力蓄積機構２１は、バネ（スライダー付勢部材）２５と、バネ引張りスライダー２７と、開トリガー１５と、引き寄せスライダー（スライダー）３９と、開ラッチ４１を備えており、バネ２５は戸尻側端部２５ａを固定金具３１でケース１９に固定してあり、戸先側端部２５ｂをバネ引張りスライダー２７に取り付けてある。この実施の形態では、バネ２５は引張りコイルバネであり、引き寄せバネを兼ねている。  
バネ引張りスライダー２７は、後述するバネ引張りスライダー案内溝４５に係合するスライド軸３７を有し、障子５の走行方向にスライド自在としてある。  
閉ラッチ２９は、バネ引張りスライダー２７に回動自在に設けた回動軸２９ａと、ケース１９の側壁１９ａに対して移動自在に設けた移動軸２９ｂとを有し、バネ引張りスライダー２７に回動軸２９ａを中心に揺動自在に取り付けてある。  
引き寄せスライダー３９は、後述する引き寄せスライダー案内溝４７に係合するスライド軸４９を有し、障子５の走行方向にスライド自在としてある。引き寄せスライダー３９には、後述するワイヤー４３の一端部４３ａが連結してある。  
開ラッチ４１は、回転軸４１ａと、ケース１９の側壁１９ａに対して移動自在に設けた移動軸４１ｂとを有し、引き寄せスライダー３９に回転軸４１ａを中心に揺動自在に取り付けてある。
付勢力開放機構２３は、上述した閉ラッチ２９、閉トリガー１７とで構成してある。  
【００１１】
付勢力蓄積時障子開力軽減機構２４は、動滑車５１と、固定滑車５３と、これらに架け渡したワイヤー４３を備えている。  
動滑車５１はバネ引張りスライダー２７に回転自在に取り付けてある。動滑車５１の回転軸５１ａはケース１９の側壁１９ａに設けた動滑車案内溝５２をスライド自在に取り付けてある。  
固定滑車５３は、バネ引張りスライダー２７と引き寄せスライダー３９との間で、ケース１９の側壁１９ａに回転自在に固定してある。  
ワイヤー４３は、一端部４３ａを前述した引き寄せスライダー３９に取り付け、動滑車５１及び固定滑車５３に架け渡して、他端部４３ｂをバネ引張スライダー２７に固定してある。  
ケース１９の側壁１９ａには、閉ラッチ案内溝３３と開ラッチ案内溝３５が形成してあり、開ラッチ案内溝３５は閉ラッチ案内溝３３の戸先側に設けてある。閉ラッチ案内溝３３には、障子５の走行方向に沿って設けた水平案内部３３ａと、水平案内部３３ａの戸先側端部で閉ラッチ２９を傾けて係止する戸先側係止部３３ｂと、水平案内部３３ａの戸尻側端部で閉ラッチ２９を傾けて係止する戸尻側係止部３３ｃとが形成してある。各係止部３３ｂ、３３ｃは、水平案内部３３ａから下方に連続してあり、閉ラッチ２９の戸先側を落し込むようにしてある。  
開ラッチ案内溝３５には、障子５の走行方向に沿って設けた水平案内部３５ａと、水平案内部３５ａの戸先側端部で開ラッチ４１を傾けて係止する戸先側係止部３５ｂが形成してある。戸先側係止部３５ｂは、水平案内部３５ａから下方に向けて連続してあり、開ラッチ４１の移動軸４１ｂを落し込むようにしてある。  
また、ケース１９の側壁１９ａには、バネ引張りスライダー２７の移動を案内するバネ引張りスライダー案内溝４５、引き寄せスライダー案内溝４７、動滑車案内溝５２がそれぞれ障子５の移動方向に沿う長孔状に形成してある。  
【００１２】
速度反応ダンパー２６は、引き寄せスライダー（スライダー）３９と、移動部材６１と、ラック６３とを備えている。  
引き寄せスライダー３９は、図１及び図３（ａ）に示すように、バネ支持部６５と、移動部材付勢部材６７と、スライド軸６９と、高速時作動ダンパー７１と、低速時作動ダンパー配置部７３を有している。  
バネ支持部６５は、引き寄せスライダー３９の戸先側に上下に亘って設けてあり、戸尻側面に複数の移動部材付勢部材６７を上下に間隔をあけて取り付けている。  
移動部材付勢部材６７はコイルバネである。  
スライド軸６９は引き寄せスライダー３９の上部３９ａで室内側に突設してあり、本実施の形態では２つのスライド軸６９が障子５の開閉方向に間隔をあけて設けてある。  
高速時作動ダンパー７１は、低速時作動ダンパー配置部７３の戸尻側に設けたダンパー支持部７５ａ、７５ｂ間に取り付けてあり、ダンパー支持部７５ａ、７５ｂは引き寄せスライダー３９の上部３９ａから互いに間隔をあけて下方に突出してある。  
高速時作動ダンパー７１は左右のつば部７１ａ、７１ｂを有し、正面から見て右側（障子の戸先側）のつば部７１ａに丸孔が形成してあり、左側（障子の戸尻側）に円弧状の長孔７６が形成してある。そして、戸先側つば部７１ａの丸孔を戸先側ダンパー支持部７５ａに軸７９で軸支してあり、戸尻側つば部７１ｂの長孔７６に戸尻側ダンパー支持部７５ｂに設けた軸７８を挿通して、戸先側つば部７１ａの軸７９を中心に戸尻側つば部７１ｂを上下に揺動自在（図３矢印Ｅ参照）としてある。また、高速時作動パンダー７１には歯車７７が設けてあり、歯車７７は高速時作動パンダー７１が揺動して下方位置にあるときにラック６３に係合可能としてある。  
【００１３】
図１及び図３（ｂ）に示すように、移動部材６１は正面側から見た輪郭が略四角形状を成し、戸先側の辺部が移動部材付勢部材６７との当接部６１ａとしてあり、低速時作動ダンパー８１を保持していると共に高速時作動ダンパー７１に係合するカム孔部８０が形成してある。  
低速時作動ダンパー８１は、上つば部８１ａと下つば部８１ｂとを有し、上つば部８１ａに丸孔が形成してあり、下つば部８１ｂには円弧状の長孔８３が形成してあり、上つば部８１ａの丸孔は移動部材６１に軸８４を挿通して軸支してあり、長孔８３には軸８５を挿通してあり、低速時作動ダンパー８１は軸８４を中心に揺動自在としてある。  
低速時作動ダンパー８１には歯車９３が設けてあり、歯車９３は常時ラック６３に係合している。  
移動部材６１の上部には障子の移動方向に長い２つのスライド用長孔８７が形成してあ、各長孔８７には、引き寄せスライダー３９に設けたスライド軸６９が挿入されており、図１（ａ）（ｂ）に示すように、移動部材６１が障子の移動方向にスライド可能としている。  
カム孔部８０は、高速時作動ダンパー７１を押し下げる押下部８９と、高速時作動ダンパーを押し上げる押上部９１とを有し、押下部８９と押上部９１とは、高速時作動ダンパー７１を挟むように上下に対向して設けてある。  
押下部８９は、高速時作動ダンパー７１の上側に設けてあり、戸先側を上に戸尻側を下にして戸先側から戸尻側に向けて傾斜している。押上部９１は、高速時作動ダンパー７１の下側に設けてあり、戸先側を上に戸尻側を下にして戸先側から戸尻側に向けて傾斜している。  
低速時作動ダンパー８１及び高速時作動ダンパー７１は共にロータリーダンパーであり、ケース内で回転するロータにシリコーンオイルの粘性抵抗により発生する制動力を付与してある。  
図２に示すように、ラック６３は、低速時作動ダンパー８１及び高速時作動ダンパー７１の下方で、引き寄せスライダー３９の移動範囲に設けてあり、ケース１９に固定してある。  
【００１４】
次に、障子５の開閉操作について、開き操作及び閉じ操作とに分けて説明する。まず、開き操作について説明する。  
図６（ａ）に示すように、引戸５が締め切り位置にあるときには、バネ２５は付勢力を放出して縮んだ状態になっている。符号ｊで抜き出して示すように、閉ラッチ２９の移動軸２９ｂは閉ラッチ案内溝３３の戸尻側係止部３３ｃに落ちて、閉ラッチ２９は傾斜した状態になっている。  
一方、符号ｋで抜き出して示すように、開ラッチ４１は移動軸４１ｂが開ラッチ案内溝３５の水平案内部３５ａに位置しており、開トリガー１５に戸先側から係止した状態になっている。  
また、固定滑車５３と動滑車５１との間の距離は最も離れた位置にある。  
図６（ｂ）に示すように、引戸５を開き始めると、開ラッチ４１は開トリガー１５に係止したまま（抜き出し図ｋ参照）、引戸５が開き方向に移動するので、動滑車５１が戸先側に引き寄せられると共に動滑車５１を固定してあるバネ引張りスライダー２７が戸先側に移動することで、バネ２５は戸先側に引っ張られて蓄勢する。一方、符号ｍで抜き出して示すように、閉ラッチ２９は、移動軸２９ｂが閉ラッチ案内溝３３の戸尻側係止部３３ｃから水平案内部３３ａに位置し、立ち上がった状態となる。  
図６（ｃ）に示すように、バネ２５の蓄勢が終了すると、符号ｎで抜き出して示すように、閉ラッチ２９の移動軸２９ｂは、閉ラッチ案内溝３３の水平案内部３３ａから戸先側係止部３３ｂに移動して閉ラッチ２９を傾斜した状態にして係止する。これにより、バネ２５に蓄積された付勢力が保持される。  
一方、開ラッチ４１は、符号ｐで抜き出して示すように、移動軸４１ｂが水平案内部３５ａから戸先側係止部３５ｂへ落ちて、傾斜した状態となってその位置が保持される。これにより、開ラッチ４１は開トリガー１５の下を通過可能となる。  
図６（ｄ）に示すように、更に引戸５を戸尻側へ移動して引戸５の開き操作を続けた状態では、引戸５はバネ２５の付勢力を蓄積した状態のまま移動すると共に、閉ラッチ２９は傾斜した状態が維持され（抜き出し図ｎ参照）及び開ラッチ４１は下方に落ちた状態（抜き出し図ｐ参照）が維持される。  
一方、速度反応ダンパー２６は、障子の開き操作では、低速時作動ダンパー８１の歯車９３のみが常時ラック６３に係合しており、ラック６３を移動する。  
【００１５】
ここで、バネ２５が付勢力を蓄えるときの開方向の障子移動量Ｍと、バネ２５が付勢力を開放するときの閉方向の障子移動量Ｌとの関係を説明する。  
この引戸移動量Ｌは、図７（ｆ）に示すように、引戸５を閉じ切るときに、バネ２５が蓄えた付勢力を開放することで引戸５が移動する移動量であり、また、図６（ａ）及び図７（ａ）に示すように、バネ２５が付勢力を開放するときの閉方向の引戸移動量Ｌは、閉ラッチ２９が移動する距離でもあり、閉ラッチ案内溝３３の水平案内部３３ａの長さとなる。  
一方、図６（ｃ）に示すように、バネ２５が付勢力を蓄えるときの開方向の引戸移動量Ｍは、バネ２５に付勢力を蓄えるために引戸５が開方向に移動する移動量であり、また、引戸移動量Ｍは、開ラッチ４１が移動する距離でもあり、開ラッチ案内溝３５の水平案内部３５ａの長さとなる。引戸移動量Ｌと引戸移動量Ｍとは、付勢力蓄積時引戸開力軽減機構２４で、動滑車５１と、固定滑車５３にワイヤー４３を架け渡した構成としてあることから、バネ２５の付勢力を蓄えるときの開方向の引戸移動量Ｍを、バネ２５が付勢力を開放するときの閉方向の引戸移動量Ｌよりも大きくなるようにしている。本実施の形態では、バネ２５が付勢力を開放するときの閉方向の引戸移動量Ｌに対して、バネ２５が付勢力を蓄えるときの開方向の引戸移動量Ｍを、例えば、３倍になるようにしているので、３Ｌ＝Ｍの関係になる。  
尚、図６に示すように、バネ２５が付勢力を開放するときの閉方向の引戸移動量Ｌは、付勢力を蓄積する為にバネ２５を引張る長さでもある。  
【００１６】
次に、障子５の閉じ操作について説明する。  
図７（ｅ）に示すように、引戸５を開いた状態から閉じるときには、上述したように、バネ２５は引張り状態で蓄積した付勢力を保持したままの状態である。また、符号ｒで抜き出して示すように、開ラッチ４１の移動軸４１ｂは戸先側係止部３５ｂに落ち込んだ状態である。この状態で、操作者は引戸５を戸先側へ移動する。一方、閉ラッチ２９は移動軸２９ｂが閉ラッチ案内溝３３の戸先側係止部３３ｂに位置して傾斜した状態（抜き出し図ｑ参照）としてある。  
図７（ｆ）（ｇ）に示すように、引戸５が閉じ切る直前の状態にあるとき、閉ラッチ２９は閉トリガー１７に当接し、上方に向けて回動することで、符号ｕで抜き出して示すように、閉ラッチ２９の移動軸２９ｂが閉ラッチ案内溝３３の戸先側係止部３３ｂから水平案内部３３ａに移動して閉ラッチ２９を閉トリガー１７に係止する。これにより、閉ラッチ２９は閉ラッチ案内溝３３の水平案内部３３ａに対して相対的に移動可能になるので、付勢力開放機構２３が作動して、バネ２５に蓄積された付勢力の開放を開始する。このとき、開ラッチ４１は下がったままの状態（抜き出し図ｒ参照）で開トリガー１５の下を戸尻側から通過して開トリガー１５よりも戸先側に位置する。  
図７（ｇ）に示すように、バネ２５が蓄積された付勢力を開放するときには、バネ２５が縮み、バネ引張りスライダー２７が動滑車５１と共にバネ２５側へ移動する。尚、動滑車５１及び固定滑車５３に架け渡されたワイヤー４３を介して、引き寄せスライダー３９が引戸５の戸尻側へ引っ張られて移動する。これにより、符号ｔで抜き出して示すように、開ラッチ４１の移動軸４１ｂは開ラッチ案内溝３５の戸先側係止部３５ｂから水平案内部３５ａに移動して、上に突出した状態になる。  
即ち、引戸５は、バネ２５に蓄積された付勢力のみで移動できるので、ここからは、操作者はほとんど力を入れないで引戸５を閉じることができる。  
図７（ｈ）に示すように、バネ２５に蓄積された付勢力が全て開放されて、引戸５は戸先枠１１に当接し、引戸５を締め切る。そして、符号ｘで抜き出して示すように、閉ラッチ２９は、移動軸２９ｂが閉ラッチ案内溝３３の戸尻側係止部３３ｃに落ちて傾斜した状態になる。一方、開ラッチ４１は開トリガー１５に戸先側から当接した状態になる。  
【００１７】
図７で示す障子５の閉じ操作時には、速度反応ダンパー２６が作動するので、以下に速度反応ダンパー２６の動きについて説明する。  
図１（ａ）に示すように、障子５を低速ＰＬで閉じた場合には、低速時作動ダンパー８１のみがラック６３に係合しており、低速時作動ダンパー８１の抵抗力のみを障子５に作用する。  
一方、障子５を強く操作して高速ＰＨで閉じた場合には、図１（ｂ）に示すように、移動部材６１に慣性力が作用し、移動部材６１の障子の閉方向への移動量が引き寄せスライダー３９の障子の閉方向の移動量よりも相対的に大きくなって、移動部材付勢部材６７を押し縮めるようにして引き寄せスライダー３９に対して戸先側へ移動する。移動部材６１が戸先側へ移動するとカム孔部８０に設けた押下部８９が高速時作動ダンパー７１を押し下げて、ラック６３に係合するので、障子５には低速時作動ダンパー８１と高速時作動ダンパー７１の両方の抵抗力が作用して、障子５を緩やかに閉じる。  
尚、低速時作動ダンパー８１と高速時作動ダンパー７１の両方のダンパーが作用して障子５の移動が低速ＰＬになると、図１（ａ）に示すように、移動部材６１が移動部材付勢部材６７に押されて低速位置に戻り、高速時作動ダンパー７１はカム孔部８０の押上部９１に押し上げられて、ラック６３との係合が外れる。  
【００１８】
ここで、図１を参照して速度反応ダンパー２６における各力の関係について説明する。
Ｓ１は、低速時作動ダンパーの抵抗力とし、  
Ｓ２は、移動部材付勢部材の付勢力とし、  
Ｓ３は、バネ（スライダー付勢部材）２５の付勢力とし、  
Ｆは、人為的な開力とする。  
本実施の形態では、図１（ｂ）に示すように障子５の移動速度が高速ＰＨ時にＳ１の方がＳ２よりも大きくなり、図１（ａ）に示すように低速ＰＬ時にＳ１の方がＳ２よりも小さくなるように設定してある  。
また、障子５の閉速度に応じた力関係では、以下の関係がなり立っている。  
高速ＰＨ時には、Ｓ１＞Ｓ２+Ｓ３+Ｆであり、Ｓ３＜Ｆ  
低速ＰＬ時には、Ｓ１＜Ｓ２+Ｓ３+Ｆであり、Ｓ３＞Ｆ  
高速ＰＨ時Ｓ１＞低速ＰＬ時Ｓ１、高速ＰＨ時Ｆ＞低速ＰＬ時Ｆ  
【００１９】
図１（ｂ）に示すように、第１実施の形態によれば、速度反応ダンパー２６では、障子５を所定速度よりも速く（高速ＰＨ）閉じたときには、低速時作動ダンパー８１と高速時作動ダンパー７１との両方がラック６３に係合することで２つのダンパーを作動し、所定速度以下（低速ＰＬ）で閉じた場合には低速時作動ダンパー８１のみがラック６３に係合することで作動するので、障子５を閉める速度に応じてダンパーを適切に作動させることができる。  
また、障子５を閉じる速度に応じてダンパーを適切に作動できるから、障子５を開けて付勢力蓄積機構２１のバネ２５に付勢力を蓄積するときには、バネ２５の付勢力を常時ラック６３に係合している低速時作動ダンパー８１のみの抵抗力に合わせることができるので、軽い力で障子５を開くことができる。  
【００２０】
また、本実施の形態では、移動部材６１には、高速ＰＨ時に高速時作動ダンパー７１を下方に押し下げる押下部８９と、低速ＰＬ時に高速時作動ダンパー７１を押し上げる押上部９１を対向して設けてあるから、障子５を閉速度に応じて、高速時作動ダンパー７１の作動を確実に制御することができる。  
ラック６３は、低速時作動ダンパー８１及び高速時作動ダンパー７１の下方に位置し、低速時作動ダンパー８１は、高速時作動ダンパー７１よりも戸先側に位置しているから、下記に説明する第２実施の形態のように、複数の高速時作動ダンパー７１を容易に設けることができる。  
高速ＰＨ時にＳ１（低速時作動ダンパー８１の抵抗力）の方がＳ２（移動部材付勢部材６７の付勢力）よりも大きくなり、低速時にＳ１の方がＳ２よりも小さくなるように設定してあるから、簡易な構造で、障子５の閉速度に応じて低速時作動ダンパー８１に加えて高速時作動ダンパー７１を作動したりしなかったりすることができ、各ダンパーの制御が容易にできる。  
【００２１】
尚、第１実施の形態にある付勢力蓄積時引戸開力軽減機構２４を備えていない場合には、重い引戸５を開閉するときに引戸５の重量に応じた強いバネが必要になるが、このような強いバネを用いると引戸５を開けるときに、バネの付勢力に抗するように開けることになるため、引戸５を開く力の増加に繋がると共に、引戸５を閉めるときは、強いバネで引戸を閉めるため、締め切り時における衝突音が大きくなってしまう。従って、第１実施の形態によれば、付勢力蓄積時引戸開力軽減機構２４を設け、付勢力蓄積機構２１が付勢力を蓄えるときの開方向の引戸移動量Ｍを、付勢力開放機構２３が付勢力を開放するときの閉方向の引戸移動量Ｌよりも大きくしているから、付勢力を蓄積する為の引戸５を開くときの力を軽減できると共に、引戸５の締め切時に開放する付勢力が小さいので、引戸５の締め切り時における衝突音の発生を軽減できる。  
付勢力蓄積時引戸開力軽減機構２４は、動滑車５１と固定滑車５３との組み合わせで構成してあるから、簡易な構成にできると共に動滑車５１及び固定滑車５３の数を変えることで付勢力を蓄えるときの開き方向の引戸移動量Ｍと、付勢力を開放するときの閉方向の引戸移動距離Ｌとの調整が容易にできる。  
付勢力蓄積機構２１と付勢力開放機構２３とは、開トリガー１５と開ラッチ４１、閉トリガー１７と閉ラッチ２９、を各々係止及び係止解除で制御しているので、構成が簡易であると共に、開トリガー１５及び閉トリガー１７の位置を変えることで、付勢力蓄積及び付勢力開放の開始及び終了のタイミングの調整や変更が容易である。  
ソフトクローズユニット７を引戸５に取り付け、上枠９に開トリガー１５及び閉トリガー１７を設ける構成としているので、施工が容易であると共に既存の引戸５にも簡単に取り付けできる。  
【００２２】
以下に、本発明の他の実施の形態を説明するが、以下に説明する実施の形態では、前述した第１実施の形態と同一の作用効果を奏する部分には同一の符号を付することによりその部分の説明を省略し、以下の説明では、第１実施の形態と主に異なる点を説明する。  
図８を参照して、本発明の第２実施の形態を説明する。この第２実施の形態では、速度反応ダンパー２６において、高速時作動ダンパー７１、７１を２つ設けている。  
即ち、引き寄せスラダー３９には、３つのダンパー支持部７５ａ、７５ｂ、７５ｃが障子の開閉方向に間隔をあけて設けてあり、ダンパー支持部７５ａ、７５ｂ間に一方の高速時作動ダンパー７１を設け、ダンパー支持部７５ｂ、７５ｃ間に他方の高速時作動ダンパー７１を設けてある。  
移動部材６１には、２つの高速時作動ダンパー７１、７１に対応して、２つのカム孔部８０を各々設けてある。各カム孔部８０に押下部８９と押上部９１とを設けてある。  
この第２実施の形態によれば、第１実施の形態と同様の作用効果を奏することができと共に障子５を高速ＰＨで閉じたときには、２つの高速時作動ダンパー７１、７１がラック６３に係合するので、第１実施の形態よりも障子５に作用する制動力を高めることができる。  
【００２３】
本発明は、上述した実施の形態に限らず、本発明の要旨を逸脱しない範囲で種々変形可能である。  
例えば、建具１はテラスサッシ等のサッシに限らず、室内の部屋を仕切る引戸であっても良く、建具１が戸である場合には障子５は引戸である。  
第１及び第２実施の形態において、ラック６３は、低速時作動ダンパー８１及び高速時作動ダンパー７１の上に設けても良い。  
第１及び第２実施の形態において、建具１には、付勢力蓄積機構２１と、付勢力開放機構２３と、付勢力蓄積時障子開力軽減機構２４とを設けることなく、速度反応ダンパー２６のみを設けてあれば良い。この場合、バネ２５は引き寄せスライダー（スライダー）３９に直接取り付けて引き寄せスライダー３９を障子の開方向へ付勢する。  
また、第２実施の形態において、高速時作動ダンパー７１は３個以上設けて、高速時に３個以上の高速時作動ダンパー７１をラック６３に係合するようにしても良い。  
【符号の説明】
【００２４】
１    建具
５    障子
２５  バネ（スライダー付勢部材）
３９  引き寄せスライダー（スライダー）
６３  ラック
６７  移動部材付勢部材
７１  高速時作動ダンパー
８１  低速時作動ダンパー
【図１】
0006445359.tif 000002
【図２】
0006445359.tif 000003
【図３】
0006445359.tif 000004
【図４】
0006445359.tif 000005
【図５】
0006445359.tif 000006
【図６】
0006445359.tif 000007
【図７】
0006445359.tif 000008
【図８】
0006445359.tif 000009